(57)【要約】      （修正有）【課題】シートの斜行を抑制できる、画像読取装置および搬送装置を提供する。【解決手段】シートＳの幅方向位置を決める際の基準となる第３壁部が設けられている。搬送ローラ対において、第１従動ローラ９７Ａおよび第２従動ローラ９７Ｂには、それぞれ別の第１従動軸１２１Ａおよび第２従動軸１２１Ｂが挿通されている。そして、第１従動軸１２１Ａおよび第２従動軸１２１Ｂは、それぞれ第１駆動ローラ９６Ａおよび第２駆動ローラ９６Ｂ側に押圧されている。また、排出ローラ対において、第１従動ローラ９９Ａおよび第２従動ローラ９９Ｂには、それぞれ別の第１従動軸１３１Ａおよび第２従動軸１３１Ｂが挿通されている。そして、第１従動軸１３１Ａおよび第２従動軸１３１Ｂは、それぞれ第１駆動ローラ９８Ａおよび第２駆動ローラ９８Ｂ側に押圧されている。【選択図】図６
2014193764.tif 000002
【特許請求の範囲】
【請求項１】
シートの搬送方向と直交する幅方向の中央に対して一方側に位置し、前記幅方向と直交する方向に延びる壁と、
前記壁に対して前記幅方向の他方側に位置する第１従動ローラと、
前記第１従動ローラと対向する第１駆動ローラと、
前記第１従動ローラに挿通され、前記第１従動ローラから前記第１駆動ローラに向かう方向に押圧された第１従動軸と、
前記第１従動ローラに対して前記幅方向の他方側に位置する第２従動ローラと、
前記第２従動ローラと対向する第２駆動ローラと、
前記第１従動軸と別体に設けられ、前記第２従動ローラに挿通され、前記第２従動ローラから前記第２駆動ローラに向かう方向に押圧された第２従動軸と、
シートの画像を読み取るように構成された読取部と、を備える、画像読取装置。
【請求項２】
前記幅方向における前記壁と前記第１従動ローラとの間の距離は、前記幅方向における前記第１従動ローラと前記第２従動ローラとの間の距離よりも短い、請求項１に記載の画像読取装置。
【請求項３】
前記幅方向において前記第１従動ローラと前記第２従動ローラとの間に位置する第３従動ローラと、
前記第３従動ローラと対向する第３駆動ローラと、
前記第２従動ローラに対して前記幅方向の他方側に位置する第４従動ローラと、
前記第４従動ローラと対向する第４駆動ローラと、を備え、
前記第１従動軸は、前記第１従動ローラおよび前記第３従動ローラに挿通され、
前記第２従動軸は、前記第２従動ローラおよび前記第４従動ローラに挿通されている、請求項１または２に記載の画像読取装置。
【請求項４】
前記第１従動軸は、前記第２従動軸よりも短い、請求項３に記載の画像読取装置。
【請求項５】
前記第１従動軸は、前記第１従動ローラに対して前記幅方向の一方側の第１押圧位置と前記第３従動ローラに対して前記幅方向他方側の第３押圧位置とを押圧され、
前記第２従動軸は、前記第２従動ローラに対して前記幅方向の一方側の第２押圧位置と前記第４従動ローラに対して前記幅方向他方側の第４押圧位置とを押圧され、
前記第１従動軸の中心から前記第１押圧位置までの距離と前記第１従動軸の中心から前記第３押圧位置までの距離は同じであり、前記第２従動軸の中心から前記第２押圧位置までの距離と前記第２従動軸の中心から前記第４押圧位置までの距離は同じである、請求項３または４に記載の画像読取装置。
【請求項６】
前記第１押圧位置と前記第１従動ローラとの間の距離は、前記第３押圧位置と前記第３従動ローラとの間の距離と同じであり、
前記第２押圧位置と前記第２従動ローラとの間の距離は、前記第４押圧位置と前記第４従動ローラとの間の距離と同じである、請求項５に記載の画像読取装置。
【請求項７】
前記第１押圧位置、前記第２押圧位置、前記第３押圧位置および前記第４押圧位置を押圧する力は同じである、請求項５または６に記載の画像読取装置。
【請求項８】
前記第１駆動ローラ、前記第２駆動ローラ、前記第３駆動ローラおよび前記第４駆動ローラに挿通された駆動軸を備える、請求項３〜７のいずれか一項に記載の画像読取装置。
【請求項９】
前記読取部に対して前記搬送方向の上流側に位置する搬送ローラ対と、
前記読取部に対して前記搬送方向の下流側に位置する排出ローラ対とを備え、
前記搬送ローラ対および前記排出ローラ対は、前記第１駆動ローラ、前記第１従動ローラ、前記第１従動軸、前記第２駆動ローラ、前記第２従動ローラおよび前記第２従動軸を含む同じ構成である、請求項１〜８のいずれか一項に記載の画像読取装置。
【請求項１０】
シートの有無を検知する検知部材を備え、
前記検知部材は、前記幅方向において前記第１従動ローラと前記壁との間に配置される請求項１〜９のいずれか一項に記載の画像読取装置。
【請求項１１】
前記読取部を支持する筐体と、
前記幅方向に延び、前記シートが導入されるように構成される導入口と、
前記導入口の前記搬送方向の上流側において、前記導入口に導入されるシートを支持する支持部とを備え、
前記支持部の前記幅方向の他方側は、前記筐体の側面の位置まで延設している、請求項１〜１０のいずれか一項に記載の画像読取装置。
【請求項１２】
シートの搬送方向と直交する幅方向の中央に対して一方側に位置し、前記幅方向と直交する直交方向に延びる壁と、
前記壁に対して前記幅方向の他方側に位置する第１駆動ローラと、
前記壁に対して前記幅方向の他方側に位置し、かつ、前記第１駆動ローラに対して前記搬送方向および前記幅方向と直交する直交方向の一方側に位置する第１従動ローラと、
前記第１従動ローラに挿通され、前記第１従動ローラから前記第１駆動ローラに向かう方向に押圧された第１従動軸と、
前記第１駆動ローラに対して前記幅方向の他方側に位置する第２駆動ローラと、
前記第１従動ローラに対して前記幅方向の他方側に位置し、かつ、前記第２駆動ローラに対して前記直交方向の一方側に位置する第２従動ローラと、
前記第１従動軸と別体に設けられ、前記第２従動ローラに挿通され、前記第２従動ローラから前記第２駆動ローラに向かう方向に押圧された第２従動軸と、を備える搬送装置。
【発明の詳細な説明】
【技術分野】
【０００１】
本発明は、画像読取装置および搬送装置に関する。
【背景技術】
【０００２】
たとえば、特許文献１には、シートを搬送しつつ、そのシートの画像を読み取る画像読取装置が開示されている。
【０００３】
この画像読取装置は、シートの搬送のために、３個の駆動ローラおよび３個の従動ローラを備えている。３個の従動ローラは、それぞれ駆動ローラに当接している。また、３個の駆動ローラは、２本の従動軸に分かれて固定されている。すなわち、２個のローラは、１本の共通の従動軸に固定され、残りの１個のローラは、別の従動軸に固定されている。そして、各従動軸の両端部は、圧縮ばねにより、駆動ローラ側に付勢されている。これにより、各従動ローラは、駆動ローラに押圧されている。そのため、駆動ローラおよび従動ローラとの間に進入するシートに搬送力を付与することができ、その搬送力でシートを搬送することができる。
【先行技術文献】
【特許文献】
【０００４】
【特許文献１】特開２００８−２８５２５９号公報
【発明の概要】
【発明が解決しようとする課題】
【０００５】
しかしながら、前述の構成では、同じ圧縮ばねで各従動軸が付勢されると、１本の従動軸に固定された２個の従動ローラがシートに与えるニップ荷重と別の従動軸に固定された従動ローラがシートに与えるニップ荷重とに差が生じる。その結果、シートが駆動ローラおよび従動ローラの各対から受ける搬送力にばらつきが生じ、シートが斜行するおそれがある。
【０００６】
本発明の目的は、シートの斜行を抑制できる、画像読取装置および搬送装置を提供することである。
【課題を解決するための手段】
【０００７】
前記の目的を達成するため、本発明に係る画像読取装置は、シートの搬送方向と直交する幅方向の中央に対して一方側に位置し、前記幅方向と直交する方向に延びる壁と、前記壁に対して前記幅方向の他方側に位置する第１従動ローラと、前記第１従動ローラと対向する第１駆動ローラと、前記第１従動ローラに挿通され、前記第１従動ローラから前記第１駆動ローラに向かう方向に押圧された第１従動軸と、前記第１従動ローラに対して前記幅方向の他方側に位置する第２従動ローラと、前記第２従動ローラと対向する第２駆動ローラと、前記第１従動軸と別体に設けられ、前記第２従動ローラに挿通され、前記第２従動ローラから前記第２駆動ローラに向かう方向に押圧された第２従動軸と、シートの画像を読み取るように構成された読取部と、を備える。
【０００８】
この構成によれば、壁が設けられていることにより、壁がシートの幅方向位置を決める際の基準となることをユーザに認識させることができる。
【０００９】
また、第１従動ローラおよび第２従動ローラには、それぞれ別の第１従動軸および第２従動軸が挿通されている。そして、第１従動軸および第２従動軸は、それぞれ第１駆動ローラおよび第２駆動ローラ側に押圧されている。これにより、第１従動ローラがシートに与えるニップ荷重と第２従動ローラがシートに与えるニップ荷重とに差が生じることを抑制できる。その結果、第１駆動ローラおよび第１従動ローラからシートに付与される搬送力と第２駆動ローラおよび第２従動ローラからシートに付与される搬送力とに差が生じることを抑制できる。よって、シートの斜行を抑制することができる。
【００１０】
本発明に係る搬送装置は、シートの搬送方向と直交する幅方向の中央に対して一方側に位置し、前記幅方向と直交する直交方向に延びる壁と、前記壁に対して前記幅方向の他方側に位置する第１駆動ローラと、前記壁に対して前記幅方向の他方側に位置し、かつ、前記第１駆動ローラに対して前記搬送方向および前記幅方向と直交する直交方向の一方側に位置する第１従動ローラと、前記第１従動ローラに挿通され、前記第１従動ローラから前記第１駆動ローラに向かう方向に押圧された第１従動軸と、前記第１駆動ローラに対して前記幅方向の他方側に位置する第２駆動ローラと、前記第１従動ローラに対して前記幅方向の他方側に位置し、かつ、前記第２駆動ローラに対して前記直交方向の一方側に位置する第２従動ローラと、前記第１従動軸と別体に設けられ、前記第２従動ローラに挿通され、前記第２従動ローラから前記第２駆動ローラに向かう方向に押圧された第２従動軸と、を備える。
【００１１】
この構成によれば、壁が設けられていることにより、壁がシートの幅方向位置を決める際の基準となることをユーザに認識させることができる。
【００１２】
また、第１従動ローラおよび第２従動ローラには、それぞれ別の第１従動軸および第２従動軸が挿通されている。そして、第１従動軸および第２従動軸は、それぞれ第１駆動ローラおよび第２駆動ローラ側に押圧されている。これにより、第１従動ローラがシートに与えるニップ荷重と第２従動ローラがシートに与えるニップ荷重とに差が生じることを抑制できる。その結果、第１駆動ローラおよび第１従動ローラからシートに付与される搬送力と第２駆動ローラおよび第２従動ローラからシートに付与される搬送力とに差が生じることを抑制できる。よって、シートの斜行を抑制することができる。
【発明の効果】
【００１３】
本発明によれば、シートの斜行を抑制することができる。
【図面の簡単な説明】
【００１４】
【図１】本発明の一実施形態に係る画像読取装置１の左上前側からの斜視図である。
【図２】画像読取装置１の平面図である。
【図３】画像読取装置１の前面図である。
【図４】画像読取装置１の断面図である。
【図５】搬送ローラ対９１の第１駆動ローラ９６Ａ、第２駆動ローラ９６Ｂ、第３駆動ローラ９６Ｃ、第４駆動ローラ９６Ｄおよび駆動軸１０１ならびに排出ローラ対９５の第１駆動ローラ９８Ａ、第２駆動ローラ９８Ｂ、第３駆動ローラ９８Ｃおよび第４駆動ローラ９８Ｄおよび駆動軸１０９の構成を示す平面図である。
【図６】搬送ローラ対９１の第１従動ローラ９７Ａ、第２従動ローラ９７Ｂ、第３従動ローラ９７Ｃ、第４従動ローラ９７Ｄ、第１従動軸１２１Ａおよび第２従動軸１２１Ｂ、排出ローラ対９５の第１従動ローラ９９Ａ、第２従動ローラ９９Ｂ、第３従動ローラ９９Ｃ、第４従動ローラ９９Ｄ、第１従動軸１３１Ａおよび第２従動軸１３１Ｂならびに軸受１５１Ａ，１５１Ｂ，１５１Ｃ，１５１Ｄ，１８１Ａ，１８１Ｂ，１８１Ｃ，１８１Ｄの構成を示す平面図である。
【図７】画像読取装置１からトップカバー４および第２ホルダ６２が除去された状態を示す前面図である。
【図８】第１ホルダ６１の下面図である。
【図９】図８に示される切断面線Ａ−Ａにおける第１ホルダ６１の断面図である。
【図１０】図８に示される切断面線Ｂ−Ｂにおける第１ホルダ６１の断面図である。
【発明を実施するための形態】
【００１５】
以下では、本発明の実施の形態について、添付図面を参照しつつ詳細に説明する。
【００１６】
＜筐体＞
【００１７】
画像読取装置１は、図１、図２、図３および図４に示されるように、筐体２を備えている。筐体２は、図１、図３および図４に示されるように、ボトムカバー３およびトップカバー４に分割されている。
【００１８】
なお、以下の説明では、ボトムカバー３に対するトップカバー４側を上側とし、平面視における画像読取装置１の中央に対して後述する導入口４１が形成されている側を前側として、上下、左右および前後の各方向を規定する。そして、図１以降の各図では、矢印で方向を表示する。
【００１９】
トップカバー４は、図１、図３および図４に示されるように、ボトムカバー３に上側から重なる。トップカバー４は、図２に示されるように、左面部１１、右面部１２、上面部１３、後面部１４、前面部１５および湾曲部１６を備えている。
【００２０】
左面部１１は、上下方向および前後方向に延びている。左面部１１の前上端部は、図１、図２および図３に示されるように、切り欠かれている。これにより、左面部１１は、その前上端部に、第１端縁２１および第２端縁２２を有している。第１端縁２１は、上下方向に延びている。第２端縁２２は、第１端縁２１の下端から前側に延びている。言い換えれば、左面部１１は、その前上端部に、上下方向に延びる第１端縁２１と第１端縁２１の下端から前側に延びる第２端縁２２とによって形成される切欠２３を有している。
【００２１】
右面部１２は、左面部１１に対して左右方向に間隔を空けて配置されている。右面部１２は、左面部１１と平行をなして、上下方向および前後方向に延びている。
【００２２】
上面部１３は、左面部１１の上端と右面部１２の上端との間に架設されている。上面部１３は、左右方向および前後方向に延びている。上面部１３は、第３端縁２４を前端に有している。第３端縁２４は、左面部１１の第１端縁２１の上端から右側に延びている。第３端縁２４の長さは、左面部１１と右面部１２との間の左右方向の間隔よりも短い。
【００２３】
後面部１４は、図２に示されるように、左面部１１の後端と右面部１２の後端との間に架設されている。後面部１４は、上下方向および左右方向に延びている。後面部１４の上端は、図４に示されるように、上面部１３の後端に接続されている。
【００２４】
前面部１５は、図１および図３に示されるように、左面部１１の前端と右面部１２の前端との間に架設されている。前面部１５は、第４端縁２５を上端に有している。第４端縁２５は、左面部１１の第２端縁２２の前端から右側に延びている。第４端縁２５の長さは、上面部１３の第３端縁２４の長さと同じである。
【００２５】
湾曲部１６は、図１、図２および図３に示されるように、上面部１３の右前端部と前面部１５の右上端部との間に架設されている。湾曲部１６の右端は、右面部１２の前上端部に接続されている。湾曲部１６は、第５端縁２６を左端に有している。第５端縁２６は、第３端縁２４の右端から前側に延び、途中で湾曲して、下側に延び、第４端縁２５の右端に接続されている。
【００２６】
また、トップカバー４は、フロントフレーム３１を保持している。
【００２７】
フロントフレーム３１は、第１壁部３２、支持部の一例としての第２壁部３３、第３壁部３４および第４壁部３６を有している。
【００２８】
第１壁部３２は、図１および図３に示されるように、上下方向および左右方向に延びている。第１壁部３２の左端は、左面部１１の第１端縁２１に接続されている。第１壁部３２の上端は、上面部１３の第３端縁２４に接続されている。
【００２９】
第２壁部３３は、図１および図２に示されるように、左右方向および前後方向に延びている。第２壁部３３の左端は、左面部１１の第２端縁２２に接続されている。第２壁部３３の前端は、前面部１５の第４端縁２５に接続されている。
【００３０】
第３壁部３４は、図１および図４に示されるように、上下方向および前後方向に延びている。第３壁部３４は、第５端縁２６に接続されている。第３壁部３４の後端は、第１壁部３２に接続されている。第３壁部３４の下端は、第２壁部３３に接続されている。
【００３１】
第１壁部３２の下端部は、図１および図３に示されるように、左端部を一部残して、それ以外の部分が開口されている。これにより、Ｌ字形状の第１壁部３２と第２壁部３３と第３壁部３４とに囲まれた箇所に導入口４１が形成される。
【００３２】
第４壁部３６は、図４に示されるように、第１壁部３２の下端部における開口が形成されている部分から後下側に延びている。第４壁部３６の後下端は、第２壁部３３の後端の上側に間隔を空けて位置している。また、第３壁部３４の後下端部は、第４壁部３６の右端と第２壁部３３の右端との間に延び、その上端縁および下端縁がそれぞれ第４壁部３６および第２壁部３３に接続されている。
【００３３】
また、筐体２は、図４に示されるように、ボトムカバー３とトップカバー４の後面部１４との間に、排出口４２を有している。排出口４２は、導入口４１と上下方向および左右方向においてほぼ同じ位置に形成されている。
【００３４】
＜内部機構＞
【００３５】
画像読取装置１は、第１ホルダ６１および第２ホルダ６２を備えている。
【００３６】
第１ホルダ６１は、第１下保持部７１、第２下保持部７２および第３下保持部７３を備えている。第１下保持部７１、第２下保持部７２および第３下保持部７３は、前側からこの順に、前後方向に並んでいる。
【００３７】
第１下保持部７１は、前シュート７４を備えている。前シュート７４は、左右方向および前後方向に延びている。前シュート７４の上面７５は、第２壁部３３の上面３５と同一平面上に位置している。
【００３８】
第２下保持部７２は、前壁部７６、底壁部７７および後壁部７８を備えている。前壁部７６は、前シュート７４の後端から下側に延びている。底壁部７７は、前壁部７６の下端から後側に延びている。後壁部７８は、底壁部７７の後端から上側に延びている。
【００３９】
第３下保持部７３は、後シュート７９を備えている。後シュート７９は、第２下保持部７２の後壁部７８の上端から後側に延びている。後シュート７９の上面８０の後端部は、排出口４２の下端よりも上側に位置している。
【００４０】
第２ホルダ６２は、第２壁部３３の上面３５を含む平面に対して上側に配置されている。第２ホルダ６２は、第１上保持部８１、第２上保持部８２および第３上保持部８３を備えている。第１上保持部８１、第２上保持部８２および第３上保持部８３は、前側からこの順に、前後方向に並んでいる。
【００４１】
第２上保持部８２は、前壁部８４、上壁部８５および後壁部８６を備えている。前壁部８４は、前後方向において、第１ホルダ６１の前壁部７６と同じ位置に配置されている。前壁部８４は、上下方向および左右方向に延びている。上壁部８５は、前壁部８４の上端から後側に延びている。後壁部８６は、上壁部８５の後端から下側に延び、前壁部８４と平行をなしている。後壁部８６は、前後方向において、第１ホルダ６１の後壁部７８よりも後側に配置されている。
【００４２】
そして、画像読取装置１は、搬送ローラ対９１、シート押さえ９２、第１読取部９３、第２読取部９４および排出ローラ対９５を備えている。
【００４３】
搬送ローラ対９１は、４個の搬送駆動ローラ９６および４個の搬送従動ローラ９７を含む。
【００４４】
４個の搬送駆動ローラ９６は、駆動軸１０１に取り付けられている。駆動軸１０１は、左右方向に延びている。駆動軸１０１は、第１ホルダ６１の第１下保持部７１に回転可能に保持されている。各搬送駆動ローラ９６の周面の一部は、前シュート７４の上面７５から上側に突出している。
【００４５】
４個の搬送従動ローラ９７は、従動軸１２１に取り付けられている。従動軸１２１は、左右方向に延びている。従動軸１２１は、第２ホルダ６２の第１上保持部８１に回転可能に保持されている。各搬送従動ローラ９７は、搬送駆動ローラ９６の上側に配置されている。各搬送従動ローラ９７の周面の一部は、その下側の搬送駆動ローラ９６の周面に当接している。
【００４６】
シート押さえ９２は、第２ホルダ６２の前壁部８４の後側に配置されている。シート押さえ９２は、上下方向および左右方向に延びている。シート押さえ９２の下端部は、第１読取部９３の透明板１０５の前端部上に位置している。シート押さえ９２は、前側ほど上側に位置するように傾斜した傾斜面１２３を下端に有している。また、シート押さえ９２は、圧縮コイルばね１２４により、下側に向けて押圧されている。圧縮コイルばね１２４の一端部は、第２ホルダ６２の上壁部８５に接続されている。圧縮コイルばね１２４の他端部は、シート押さえ９２の上端に接続されている。
【００４７】
第１読取部９３は、第１ホルダ６１の第２下保持部７２に配置されている。具体的には、第１読取部９３は、第１ホルダ６１の底壁部７７上に配置され、前壁部７６および後壁部７８に前後から挟まれている。第１読取部９３は、第１付勢部１０３により、第２読取部９４側に付勢されている。第１付勢部１０３は、圧縮コイルばねからなる。第１付勢部１０３は、ボトムカバー３と第１読取部９３との間に介在されている。第１読取部９３は、ＬＥＤ光源、レンズおよびイメージセンサ１０４などを内部に備える密着型イメージセンサユニットである。また、第１読取部９３は、その上面に、透明板１０５を備えている。透明板１０５の上面である第１読取面１０６は、前シュート７４の上面７５と同じ位置または上面７５よりも下側に位置している。さらに、第１読取部９３は、透明板１０５の前側に、延部１０７を備えている。延部１０７は、前側ほど下側に位置するように傾斜する傾斜面１０８を上面に有している。
【００４８】
第２読取部９４は、シート押さえ９２の後側に配置されている。第２読取部９４は、第１読取部９３と同じ構成の密着型イメージセンサユニットであり、第１読取部９３と前後方向に沿った直線まわりに天地を反転して配置されている。具体的には、第２読取部９４は、その内部に、ＬＥＤ光源、レンズおよびイメージセンサ１２５などを備えている。また、第２読取部９４は、その下面に、透明板１２６を備えている。
【００４９】
第２読取部９４は、透明板１２６の下面である第２読取面１２７が前側ほど上側に位置するように、その全体が傾斜している。さらに、第２読取部９４は、透明板１２６の前側に、延部１２８を備えている。延部１２８は、前側ほど上側に位置するように傾斜する傾斜面１２９を下面に有している。また、第２読取部９４は、第２付勢部１３０により、第１読取部９３側に付勢されている。第２付勢部１３０は、圧縮コイルばねからなる。第２付勢部１３０は、第２ホルダ６２の上壁部８５と第２読取部９４との間に介在されている。
【００５０】
排出ローラ対９５は、４個の排出駆動ローラ９８および４個の排出従動ローラ９９を含む。
【００５１】
４個の排出駆動ローラ９８は、駆動軸１０９に取り付けられている。駆動軸１０９は、左右方向に延びている。駆動軸１０９は、第１ホルダ６１の第３下保持部７３に回転可能に保持されている。各排出駆動ローラ９８の周面の一部は、後シュート７９の上面８０から上側に突出している。
【００５２】
４個の排出従動ローラ９９は、従動軸１３１に取り付けられている。従動軸１３１は、左右方向に延びている。従動軸１３１は、第２ホルダ６２の第３上保持部８３に回転可能に保持されている。各排出従動ローラ９９は、排出駆動ローラ９８の上側に配置されている。各排出従動ローラ９９の周面の一部は、その下側の排出駆動ローラ９８の周面に当接している。
【００５３】
また、画像読取装置１は、センサ５１を備えている。
【００５４】
センサ５１は、たとえば、マイクロスイッチからなる。センサ５１の本体は、第２壁部３３の下方に配置されている。検知部材の一例としてのセンサ５１のアクチュエータ５２は、第２壁部３３を上下方向に貫通し、その先端が第２壁部３３の上側に位置している。アクチュエータ５２は、図３に示されるように、左右方向において、最も右側に位置している搬送従動ローラ９７と第３壁部３４との間に位置している。
【００５５】
＜シートの画像の読み取り＞
【００５６】
筐体２内において、第１ホルダ６１と第２ホルダ６２との間は、シートＳが搬送される搬送路１４１である。
【００５７】
また、導入口４１に挿入されるシートＳが載置される第２壁部３３が左面部１１まで延びているので、フロントフレーム３１の第３壁部３４は、左側に露出している。これにより、ユーザは、第３壁部３４がシートＳの左右方向位置を決める際の基準であることを容易に認識する。
【００５８】
シートＳの画像の読み取りに際しては、ユーザにより、１枚のシートＳが第２壁部３３の上面３５上から導入口４１に差し込まれる。このとき、シートＳの右端縁が第３壁部３４に押し当てられる。
【００５９】
シートＳが導入口４１に差し込まれると、センサ５１により、シートＳが検知される。センサ５１によるシートＳの検知に応答して、搬送駆動ローラ９６および排出駆動ローラ９８が左側から見て反時計回りに回転される。搬送駆動ローラ９６および排出駆動ローラ９８の回転に従動して、搬送従動ローラ９７および排出従動ローラ９９が左側から見て時計回りに回転する。
【００６０】
シートＳが後側にさらに移動されて、シートＳの先端部が搬送駆動ローラ９６の周面と搬送従動ローラ９７の周面との間に到達すると、搬送駆動ローラ９６および搬送従動ローラ９７からシートＳに搬送力が付与される。この搬送力により、シートＳは、後側に搬送されて、搬送駆動ローラ９６および搬送従動ローラ９７の間を通過する。
【００６１】
その後、シートＳの先端縁がシート押さえ９２の傾斜面１２３に当接する。シートＳの搬送に伴って、シートＳの先端縁が傾斜面１２３上を第１読取部９３の透明板１０５上に向けて摺動する。そして、シートＳの先端縁は、傾斜面１２３から離れると、シート押さえ９２と透明板１０５の上面である第１読取面１０６との間に進入する。シート押さえ９２と透明板１０５との間において、シートＳは、シート押さえ９２により、第１読取面１０６に押圧される。
【００６２】
こうして、シートＳは、第１読取面１０６に押圧されつつ、第１読取面１０６上を通過する。このとき、第１読取面１０６上のシートＳに、第１読取部９３のＬＥＤ光源から光が照射される。そして、シートＳでの反射光がイメージセンサ１０４に受けられることにより、シートＳの下面に描かれている画像が読み取られる。
【００６３】
シートＳの搬送がさらに進むと、シートＳの先端縁が第２読取部９４の透明板１２６の下面である第２読取面１２７に当接する。第２読取面１２７に当接したシートＳの先端縁は、第２読取面１２７上を摺動する。このとき、シートＳの厚みによっては、シートＳから第２読取面１２７に力が付与され、第２読取部９４が第２付勢部１３０の付勢力に抗して、上側に移動する。
【００６４】
その後、シートＳは、その上面が第２読取面１２７に密着しつつ、第２読取面１２７上を後側に移動する。このとき、第２読取面１２７上のシートＳに、第２読取部９４のＬＥＤ光源から光が照射される。そして、シートＳでの反射光がイメージセンサ１２５に受けられることにより、シートＳの上面に描かれている画像が読み取られる。
【００６５】
そして、シートＳの先端部が排出駆動ローラ９８の周面と排出従動ローラ９９の周面との間に到達すると、排出駆動ローラ９８および排出従動ローラ９９からシートＳに搬送力が付与される。この搬送力により、シートＳは、後側に搬送されて、排出口４２を通して排出される。
【００６６】
＜搬送ローラ対＞
【００６７】
４個の搬送従動ローラ９７は、図６に示されるように、左右方向に間隔を空けて、同一直線上に並べて配置されている。４個の搬送従動ローラ９７は、すべて同一の構成を有している。
【００６８】
なお、以下の説明では、各搬送従動ローラ９７を区別するため、右端の搬送従動ローラ９７を「第１従動ローラ９７Ａ」といい、右から３個目の搬送従動ローラを「第２従動ローラ９７Ｂ」といい、第１従動ローラ９７Ａと第２従動ローラ９７Ｂとの間に配置される搬送従動ローラ９７を「第３従動ローラ９７Ｃ」といい、左端の搬送従動ローラ９７を「第４従動ローラ９７Ｄ」という。
【００６９】
４個の搬送駆動ローラ９６は、図５に示されるように、左右方向に間隔を空けて、同一直線上に並べて配置されている。４個の搬送駆動ローラ９６は、すべて同一の構成を有しており、搬送従動ローラ９７と左右方向の長さが同じである。
【００７０】
なお、以下の説明では、各搬送駆動ローラ９６を区別するため、右端の搬送駆動ローラ９６を「第１駆動ローラ９６Ａ」といい、右から３個目の搬送駆動ローラ９６を「第２駆動ローラ９６Ｂ」といい、第１駆動ローラ９６Ａと第２駆動ローラ９６Ｂとの間に配置される搬送駆動ローラ９６を「第３駆動ローラ９６Ｃ」といい、左端の搬送駆動ローラ９６を「第４駆動ローラ９６Ｄ」という。
【００７１】
第１従動ローラ９７Ａは、左右方向において、第１従動ローラ９７Ａの左側の端部からフロントフレーム３１の第３壁部３４までの距離が５１ｍｍより短くなるように配置されている。第１駆動ローラ９６Ａは、図７に示されるように、第１従動ローラ９７Ａの下側であって、左右方向において、第１従動ローラ９７Ａと同じ位置に配置されている。
【００７２】
そのため、左右方向の幅が約５１〜５７．５ｍｍであるシートＳは、第１従動ローラ９７Ａおよび第１駆動ローラ９６Ａの周面に接触して搬送され、その左右方向の端縁は、第１従動ローラ９７Ａおよび第１駆動ローラ９６Ａの周面と接触しない。左右方向の幅が約５７．５ｍｍ以下であるシートＳとしては、レジスターのレシート、縦向きに搬送される国際標準化機構（ＩＳＯ）／国際電気標準会議（ＩＥＣ）による国際規格ＩＤ−１のカードサイズのシートなどを例示することができる。
【００７３】
第２従動ローラ９７Ｂは、左右方向において、第２従動ローラ９７Ｂの右側の端部から第３壁部３４までの距離が１００ｍｍよりも長く、かつ、第２従動ローラ９７Ｂの左側の端部から第３壁部３４までの距離が１４８ｍｍよりも短くなるように配置されている。第２駆動ローラ９６Ｂは、第２従動ローラ９７Ｂの下側であって、左右方向において、第２従動ローラ９７Ｂと同じ位置に配置されている。
【００７４】
そのため、左右方向の幅が約１４８〜１７６ｍｍであるシートＳは、第１従動ローラ９７Ａ、第２従動ローラ９７Ｂおよび第３従動ローラ９７Ｃの各周面、ならびに、第１駆動ローラ９６Ａ、第２駆動ローラ９６Ｂおよび第３駆動ローラ９６Ｃの各周面に接触して搬送され、その左右方向の端縁は、第２従動ローラ９７Ｂおよび第２駆動ローラ９６Ｂと接触しない。左右方向の幅が約１４８〜１７６ｍｍであるシートＳとしては、横向きに搬送される葉書サイズのシート、横向きに搬送される日本工業規格Ａ５サイズのシート、横向きに搬送される日本工業規格Ｂ５サイズのシートなどを例示することができる。
【００７５】
第３従動ローラ９７Ｃは、左右方向において、第３従動ローラ９７Ｃの右側の端部から第３壁部３４までの距離が５７．５ｍｍよりも長く、かつ、第３従動ローラ９７Ｃの左側の端部から第３壁部３４までの距離が８５ｍｍよりも短くなるように配置されている。第３駆動ローラ９６Ｃは、第３従動ローラ９７Ｃの下側であって、左右方向において、第３従動ローラ９７Ｃと同じ位置に配置されている。
【００７６】
そのため、左右方向の幅が約８５〜１００ｍｍであるシートＳは、第１従動ローラ９７Ａおよび第３従動ローラ９７Ｃの各周面、ならびに、第１駆動ローラ９６Ａおよび第３駆動ローラ９６Ｃの各周面に接触して搬送され、その左右方向の端縁は、第３従動ローラ９７Ｃおよび第３駆動ローラ９６Ｃと接触しない。左右方向の幅が約８５〜１００ｍｍであるシートＳとしては、縦向きに搬送される葉書サイズのシート、横向きに搬送される国際規格ＩＤ−１のカードサイズのシートなどを例示することができる。
【００７７】
第４従動ローラ９７Ｄは、左右方向において、第４従動ローラ９７Ｄの右側の端部から第３壁部３４までの距離が１７６ｍｍよりも長く、かつ、第４従動ローラ９７Ｄの左側の端部から第３壁部３４までの距離が２１０ｍｍよりも短くなるように配置されている。第４駆動ローラ９６Ｄは、第４従動ローラ９７Ｄの下側であって、左右方向において、第４従動ローラ９７Ｄと同じ位置に配置されている。
【００７８】
そのため、左右方向の幅が約２１０〜２１５．９ｍｍであるシートＳは、第１従動ローラ９７Ａ、第２従動ローラ９７Ｂ、第３従動ローラ９７Ｃおよび第４従動ローラ９７Ｄの各周面、ならびに、第１駆動ローラ９６Ａ、第２駆動ローラ９６Ｂ、第３駆動ローラ９６Ｃおよび第４駆動ローラ９６Ｄの各周面に接触して搬送され、その左右方向の端縁は、第４従動ローラ９７Ｄおよび第４駆動ローラ９６Ｄと接触しない。左右方向の幅が約２１０〜２１５．９ｍｍであるシートＳとしては、縦向きに搬送される日本工業規格Ａ５サイズのシート、縦向きに搬送されるＬＴＲサイズのシートなどを例示することができる。
【００７９】
従動軸１２１は、第１従動軸１２１Ａと第２従動軸１２１Ｂとに分割して構成されている。第１従動軸１２１Ａは、第２従動軸１２１Ｂよりも短い。第１従動軸１２１Ａは、第１従動ローラ９７Ａおよび第３従動ローラ９７Ｃに共通の回転軸として、第１従動ローラ９７Ａおよび第３従動ローラ９７Ｃに挿通されている。第１従動軸１２１Ａは、第１従動ローラ９７Ａおよび第３従動ローラ９７Ｃからそれぞれ右側および左側に同じ突出量で突出している。第２従動軸１２１Ｂは、第２従動ローラ９７Ｂおよび第４従動ローラ９７Ｄに共通の回転軸として、第２従動ローラ９７Ｂおよび第４従動ローラ９７Ｄに挿通されている。第２従動軸１２１Ｂは、第２従動ローラ９７Ｂおよび第４従動ローラ９７Ｄからそれぞれ右側および左側に同じ突出量で突出している。
【００８０】
第１従動軸１２１Ａの右端部および左端部は、図６、図７、図８および図９に示されるように、それぞれ軸受１５１Ａ，１５１Ｃに回転可能に挿通されている。また、第２従動軸１２１Ｂの右端部および左端部は、それぞれ軸受１５１Ｂ，１５１Ｄに回転可能に挿通されている。そして、各軸受１５１Ａ，１５１Ｂ，１５１Ｃ，１５１Ｄが第２ホルダ６２の第１上保持部８１に弾性的に支持されることにより、第１従動軸１２１Ａおよび第２従動軸１２１Ｂは、第１上保持部８１に回転可能に保持されている。
【００８１】
具体的には、軸受１５１Ａ，１５１Ｂ，１５１Ｃ，１５１Ｄは、図８および図９に示される本体部１５２と、図８に示される１対の前突部１５３および後突部１５４と、図９に示される１対の爪部１５５，１５６と、図９に示される上突部１５７とを一体的に備えている。
【００８２】
第１従動軸１２１Ａおよび第２従動軸１２１Ｂの各端部は、本体部１５２に回転可能に挿通されている。
【００８３】
１対の前突部１５３および後突部１５４は、図８に示されるように、前後に設けられている。前突部１５３は、本体部１５２の左右方向の中央から前側に突出し、上下方向に延びている。後突部１５４は、本体部１５２の左右方向の中央から後側に突出し、上下方向に延びている。
【００８４】
１対の爪部１５５，１５６は、図９に示されるように、左右に設けられている。左側の爪部１５５は、本体部１５２の左端部から上側に延びている。左側の爪部１５５の先端部には、左側に突出する突起１５８が形成されている。右側の爪部１５６は、本体部１５２の右端部から上側に延びている。右側の爪部１５６の先端部には、右側に突出する突起１５９が形成されている。
【００８５】
上突部１５７は、本体部１５２の左右方向の中央であって、１対の爪部１５５，１５６の間に設けられている。上突部１５７は、本体部１５２から上方に突出している。
【００８６】
第２ホルダ６２の第１上保持部８１には、図８および図９に示されるように、４つの嵌合部１６１Ａ，１６１Ｂ，１６１Ｃ，１６１Ｄが左右方向に間隔を空けて形成されている。嵌合部１６１Ａ，１６１Ｂ，１６１Ｃ，１６１Ｄは、第２ホルダ６２の下面から上方に凹む凹部として形成されている。
【００８７】
また、各嵌合部１６１Ａ，１６１Ｂ，１６１Ｃ，１６１Ｄ内には、図８に示されるように、左前延部１６２、右前延部１６３、左後延部１６４および右後延部１６５が形成されている。左前延部１６２および右前延部１６３は、嵌合部１６１の前端の左右方向の中央部から後側に突出し、上下方向に延びている。左前延部１６２と右前延部１６３との間には、左右方向に前突部１５３の幅よりも大きい間隔が空けられている。左後延部１６４および右後延部１６５は、嵌合部１６１の後端の左右方向の中央部から前側に突出し、上下方向に延びている。左後延部１６４と右後延部１６５との間には、左右方向に後突部１５４の幅よりも大きい間隔が空けられている。また、左前延部１６２と左後延部１６４との間および右前延部１６３と右後延部１６５との間には、それぞれ前後方向に本体部１５２の幅よりも大きい間隔が空けられている。
【００８８】
軸受１５１Ａ，１５１Ｂ，１５１Ｃ，１５１Ｄは、それぞれ嵌合部１６１Ａ，１６１Ｂ，１６１Ｃ，１６１Ｄに下方から嵌合される。軸受１５１Ａ，１５１Ｂ，１５１Ｃ，１５１Ｄが嵌合部１６１に嵌合された状態で、本体部１５２は、左前延部１６２と左後延部１６４との間および右前延部１６３と右後延部１６５との間に位置する。また、前突部１５３は、左前延部１６２と右前延部１６３との間に位置する。後突部１５４は、左後延部１６４と右後延部１６５との間に位置する。これにより、軸受１５１Ａ，１５１Ｂ，１５１Ｃ，１５１Ｄは、前後方向および左右方向の移動が抑制されている。そして、図９に示されるように、爪部１５５の突起１５８および爪部１５６の突起１５９が嵌合部１６１の周縁部の上側に位置する。突起１５８，１５９が嵌合部１６１の周縁部に上側から当接することにより、軸受１５１Ａ，１５１Ｂ，１５１Ｃ，１５１Ｄがそれぞれ嵌合部１６１Ａ，１６１Ｂ，１６１Ｃ，１６１Ｄから脱落することが抑制されている。
【００８９】
軸受１５１Ａ，１５１Ｂ，１５１Ｃ，１５１Ｄと第２ホルダ６２との間には、図９および図１０に示されるように、それぞれ押圧ばね１７１Ａ，１７１Ｂ，１７１Ｃ，１７１Ｄが介在されている。押圧ばね１７１Ａ，１７１Ｂ，１７１Ｃ，１７１Ｄには、同じ構成のものが用いられている。押圧ばね１７１Ａ，１７１Ｂ，１７１Ｃ，１７１Ｄの下端は、それぞれ軸受１５１Ａ，１５１Ｂ，１５１Ｃ，１５１Ｄの上突部１５７に外嵌されている。押圧ばね１７１Ａ，１７１Ｂ，１７１Ｃ，１７１Ｄは、それぞれ軸受１５１Ａ，１５１Ｂ，１５１Ｃ，１５１Ｄを下側に押圧する。
【００９０】
これにより、第１従動軸１２１Ａの右端部は、軸受１５１Ａを介して、軸受１５１Ａの上突部１５７と左右方向に同じ位置である第１押圧位置にて下側に押圧される。第１従動軸１２１Ａの左端部は、軸受１５１Ａを介して、軸受１５１Ｃの上突部１５７と左右方向に同じ位置である第３押圧位置にて下側に押圧される。また、第２従動軸１２１Ｂの右端部は、軸受１５１Ｂを介して、軸受１５１Ｂの上突部１５７と左右方向に同じ位置である第２押圧位置にて下側に押圧される。第２従動軸１２１Ｂの左端部は、軸受１５１Ｄを介して、軸受１５１Ｄの上突部１５７と左右方向に同じ位置である第４押圧位置にて下側に押圧される。
【００９１】
そして、図６および図９に示されるように、第１押圧位置と第１従動ローラ９７Ａの中央との間の距離、第２押圧位置と第２従動ローラ９７Ｂの中央との間の距離、第３押圧位置と第３従動ローラ９７Ｃの中央との間の距離および第４押圧位置と第４従動ローラ９７Ｄの中央との間の距離は、いずれも同じ距離Ｄである。これにより、第３押圧位置は、第１従動軸１２１Ａの左右方向の中心に対して、第１押圧位置と対称をなしている。また、第４押圧位置は、第２従動軸１２１Ｂの左右方向の中心に対して、第２押圧位置と対称をなしている。
【００９２】
また、押圧ばね１７１Ａ，１７１Ｂ，１７１Ｃ，１７１Ｄには、同じ構成のものが用いられている。これにより、第１押圧位置、第２押圧位置、第３押圧位置および第４押圧位置は、互いに同じ力で押圧されている。
【００９３】
駆動軸１０１は、第１駆動ローラ９６Ａ、第２駆動ローラ９６Ｂ、第３駆動ローラ９６Ｃおよび第４駆動ローラ９６Ｄに共通の回転軸として、第１駆動ローラ９６Ａ、第２駆動ローラ９６Ｂ、第３駆動ローラ９６Ｃおよび第４駆動ローラ９６Ｄに挿通されている。
【００９４】
＜排出ローラ対＞
【００９５】
４個の排出従動ローラ９９は、図６に示されるように、左右方向に間隔を空けて、同一直線上に並べて配置されている。
【００９６】
なお、以下の説明では、各排出従動ローラ９９を区別するため、右端の排出従動ローラ９９を「第１従動ローラ９９Ａ」といい、右から３個目の搬送従動ローラを「第２従動ローラ９９Ｂ」といい、第１従動ローラ９９Ａと第２従動ローラ９９Ｂとの間に配置される排出従動ローラ９９を「第３従動ローラ９９Ｃ」といい、左端の排出従動ローラ９９を「第４従動ローラ９９Ｄ」という。
【００９７】
第１従動ローラ９９Ａ、第２従動ローラ９９Ｂ、第３従動ローラ９９Ｃおよび第４従動ローラ９９Ｄは、それぞれ搬送ローラ対９１の第１従動ローラ９７Ａ、第２従動ローラ９７Ｂ、第３従動ローラ９７Ｃおよび第４従動ローラ９７Ｄと同一の構成を有し、それぞれ第１従動ローラ９７Ａ、第２従動ローラ９７Ｂ、第３従動ローラおよび第４従動ローラ９７Ｄと左右方向に同じ位置に配置されている。
【００９８】
従動軸１３１は、第１従動軸１３１Ａと第２従動軸１３１Ｂとに分割して構成されている。第１従動軸１３１Ａは、搬送ローラ対９１の第１従動軸１２１Ａと同一の構成を有し、搬送ローラ対９１の第１従動軸１２１Ａと左右方向に同じ位置に配置されている。第２従動軸１３１Ｂは、搬送ローラ対９１の第２従動軸１２１Ｂと同一の構成を有し、搬送ローラ対９１の第２従動軸１２１Ｂと左右方向に同じ位置に配置されている。
【００９９】
第１従動軸１３１Ａの右端部および左端部は、図６および図８に示されるように、それぞれ軸受１８１Ａ，１８１Ｃに回転可能に挿通されている。また、第２従動軸１３１Ｂの右端部および左端部は、それぞれ軸受１８１Ｂ，１８１Ｄに回転可能に挿通されている。
【０１００】
軸受１８１Ａ，１８１Ｂ，１８１Ｃ，１８１Ｄは、それぞれ搬送ローラ対９１の軸受１５１Ａ，１５１Ｂ，１５１Ｃ，１５１Ｄと同一の構成を有し、それぞれ搬送ローラ対９１の軸受１５１Ａ，１５１Ｂ，１５１Ｃ，１５１Ｄと左右方向に同じ位置に配置されている。
【０１０１】
４個の排出駆動ローラ９８は、図５に示されるように、左右方向に間隔を空けて、同一直線上に並べて配置されている。
【０１０２】
なお、以下の説明では、各排出駆動ローラ９８を区別するため、右端の排出駆動ローラ９８を「第１駆動ローラ９８Ａ」といい、右から３個目の搬送駆動ローラを「第２駆動ローラ９８Ｂ」といい、第１駆動ローラ９８Ａと第２駆動ローラ９８Ｂとの間に配置される排出駆動ローラ９８を「第３駆動ローラ９８Ｃ」といい、左端の排出駆動ローラ９８を「第４駆動ローラ９８Ｄ」という。
【０１０３】
第１駆動ローラ９８Ａ、第２駆動ローラ９８Ｂ、第３駆動ローラ９８Ｃおよび第４駆動ローラ９８Ｄは、それぞれ搬送ローラ対９１の第１駆動ローラ９６Ａ、第２駆動ローラ９６Ｂ、第３駆動ローラ９６Ｃおよび第４駆動ローラ９６Ｄと同一の構成を有し、それぞれ搬送ローラ対９１の第１駆動ローラ９６Ａ、第２駆動ローラ９６Ｂ、第３駆動ローラ９６Ｃおよび第４駆動ローラ９６Ｄと左右方向に同じ位置に配置されている。
【０１０４】
駆動軸１０９は、搬送ローラ対９１の駆動軸１０１と同一の構成を有し、搬送ローラ対９１の駆動軸１０１と左右方向に同じ位置に配置されている。
【０１０５】
＜作用効果＞
【０１０６】
以上のように、第３壁部３４が設けられていることにより、第３壁部３４がシートＳの幅方向位置を決める際の基準となることをユーザに認識させることができる。
【０１０７】
また、搬送ローラ対９１において、第１従動ローラ９７Ａおよび第２従動ローラ９７Ｂには、それぞれ別の第１従動軸１２１Ａおよび第２従動軸１２１Ｂが挿通されている。そして、第１従動軸１２１Ａおよび第２従動軸１２１Ｂは、それぞれ第１駆動ローラ９６Ａおよび第２駆動ローラ９６Ｂ側に押圧されている。これにより、第１従動ローラ９７ＡがシートＳに与えるニップ荷重と第２従動ローラ９７ＢがシートＳに与えるニップ荷重とに差が生じることを抑制できる。その結果、第１駆動ローラ９６Ａおよび第１従動ローラ９７ＡからシートＳに付与される搬送力と第２駆動ローラ９６Ｂおよび第２従動ローラ９７ＢからシートＳに付与される搬送力とに差が生じることを抑制できる。よって、シートＳの斜行を抑制することができる。
【０１０８】
搬送ローラ対９１において、左右方向における第３壁部３４と第１従動ローラ９７Ａとの間の距離は、左右方向における第１従動ローラ９７Ａと第２従動ローラ９７Ｂとの間の距離よりも短い。具体的には、第１従動ローラ９７Ａの左側の端部から第３壁部３４までの距離は、５１ｍｍより短い。第２従動ローラ９７Ｂの右側の端部から第３壁部３４までの距離は、１００ｍｍよりも長い。第２従動ローラ９７Ｂの左側の端部から第３壁部３４までの距離は、１４８ｍｍよりも短い。
【０１０９】
この構成によると、一般的なサイズのシートＳ、たとえば、レジスターのレシート、国際規格ＩＤ−１のカードサイズのシート、葉書サイズのシート、日本工業規格Ａ５サイズのシート、日本工業規格Ｂ５サイズのシートまたはＬＴＲサイズのシートなどが、その左右方向の端縁を第１駆動ローラ８６Ａ、第１従動ローラ９７Ａ、第２駆動ローラ９６Ｂおよび第２従動ローラ９７Ｂに接触させずに、第１駆動ローラ９６Ａ、第１従動ローラ９７Ａ、第２駆動ローラ９６Ｂおよび第２従動ローラ９７Ｂによって搬送することができる。そのため、シートＳの先端の角部に第２駆動ローラ９６Ｂ、第２従動ローラ９７Ｂ、と接触することによる折れが生じることを抑制できる。
【０１１０】
搬送ローラ対９１において、第３従動ローラ９７Ｃは、左右方向において第１従動ローラ９７Ａと第２従動ローラ９７Ｂとの間に位置している。第４従動ローラ９７Ｄは、第２従動ローラ９７Ｂの左側に位置している。そして、第１従動軸１２１Ａは、第１従動ローラ９７Ａおよび第３従動ローラ９７Ｃに挿通されている。第２従動軸１２１Ｂは、第２従動ローラ９７Ｂおよび第４従動ローラ９７Ｄに挿通されている。第１従動軸１２１Ａに、２個の第１従動ローラ９７Ａおよび第３従動ローラ９７Ｃが支持され、第２従動軸１２１Ｂに、それと同数の第２従動ローラ９７Ｂおよび第４従動ローラ９７Ｄが支持されるので、第１従動ローラ９７Ａおよび第３従動ローラ９７ＣがシートＳに与えるニップ荷重と第２従動ローラ９７Ｂおよび第４従動ローラ９７ＤがシートＳに与えるニップ荷重とを等しくすることができる。その結果、第１駆動ローラ９６Ａ、第１従動ローラ９７Ａならびに第３駆動ローラ９６Ｃおよび第３従動ローラ９７ＣからシートＳに付与される搬送力と、第２駆動ローラ９６Ｂおよび第２従動ローラ９７Ｂならびに第４駆動ローラ９６Ｄおよび第４従動ローラ９７ＤからシートＳに付与される搬送力とに差が生じることを抑制できる。よって、シートＳの斜行を抑制することができる。
【０１１１】
搬送ローラ対９１において、第１従動軸１２１Ａは、第２従動軸１２１Ｂよりも短い。そのため、第１従動ローラ９７Ａと第３従動ローラ９７Ｃとの間隔を相対的に小さくすることができる。また、第２従動ローラ９７Ｂと第４従動ローラ９７Ｄとの間隔を相対的に大きくすることができる。よって、種々のサイズのシートＳの左右方向の幅に応じて、各サイズのシートＳの左右方向の端縁が第１従動ローラ９７Ａ、第２従動ローラ９７Ｂ、第３従動ローラ９７Ｃおよび第４従動ローラ９７Ｄと接触しないように、第１従動ローラ９７Ａ、第２従動ローラ９７Ｂ、第３従動ローラ９７Ｃおよび第４従動ローラ９７Ｄを配置することができる。その結果、各サイズのシートＳの先端の角部に折れが生じることを抑制できる。
【０１１２】
搬送ローラ対９１において、第１従動軸１２１Ａの右端部は、軸受１５１Ａの上突部１５７と左右方向に同じ位置である第１押圧位置にて下側に押圧される。第１従動軸１２１Ａの左端部は、軸受１５１Ｃの上突部１５７と左右方向に同じ位置である第３押圧位置にて下側に押圧される。また、第２従動軸１２１Ｂの右端部は、軸受１５１Ｂの上突部１５７と左右方向に同じ位置である第２押圧位置にて下側に押圧される。第２従動軸１２１Ｂの左端部は、軸受１５１Ｄの上突部１５７と左右方向に同じ位置である第４押圧位置にて下側に押圧される。そして、第３押圧位置は、第１従動軸１２１Ａの左右方向の中心に対して、第１押圧位置と対称をなしている。また、第４押圧位置は、第２従動軸１２１Ｂの左右方向の中心に対して、第２押圧位置と対称をなしている。これにより、第１従動軸１２１Ａおよび第２従動軸１２１Ｂを左右方向においてバランスよく押圧することができる。
【０１１３】
第１押圧位置と第１従動ローラ９７Ａとの間の距離Ｄは、第３押圧位置と第３従動ローラ９７Ｃとの間の距離Ｄと同じである。第２押圧位置と第２従動ローラ９７Ｂとの間の距離Ｄは、第４押圧位置と第４従動ローラ９７Ｄとの間の距離Ｄと同じである。そのため、第１押圧位置を押圧する力および第３押圧位置を押圧する力をそれぞれ第１従動ローラ９７Ａおよび第３従動ローラ９７Ｃに同様に伝達することができる。また、第２押圧位置を押圧する力および第４押圧位置を押圧する力をそれぞれ第２従動ローラ９７Ｂおよび第４従動ローラ９７Ｄに同様に伝達することができる。そして、第１押圧位置、第２押圧位置、第３押圧位置および第４押圧位置を押圧する力が互いに同じである。よって、第１従動ローラ９７Ａ、第２従動ローラ９７Ｂ、第３従動ローラ９７Ｃおよび第４従動ローラ９７ＤがシートＳに与えるニップ荷重のばらつきを抑制することができる。その結果、各サイズのシートＳを良好に搬送することができる。
【０１１４】
搬送ローラ対９１は、第１駆動ローラ９６Ａ、第２駆動ローラ９６Ｂ、第３駆動ローラ９６Ｃおよび第４駆動ローラ９６Ｄに挿通された駆動軸１０１を備えている。これにより、第１駆動ローラ９６Ａ、第２駆動ローラ９６Ｂ、第３駆動ローラ９６Ｃおよび第４駆動ローラ９６Ｄに駆動力を１系統で伝達することができる。
【０１１５】
よって、画像読取装置１の構成を簡素化することができる。その結果、装置コストの低減を図ることができる。
【０１１６】
画像読取装置１は、シートＳの有無を検知するアクチュエータ５２を備えている。アクチュエータ５２は、左右方向において第１従動ローラ９７Ａと第３壁部３４との間、つまり第３壁部３４に比較的近い位置に配置されている。
【０１１７】
そのため、アクチュエータ５２にシートＳが当接するように、第３壁部３４に近い位置にシートＳをセットして画像読取装置１を使用することを、ユーザに喚起することができる。
【０１１８】
画像読取装置１の筐体２は、第１読取部９３および第２読取部９４を支持している。また、画像読取装置１には、左右方向に延び、シートＳが導入されるように構成される導入口４１が備えられている。さらに、画像読取装置１には、導入口４１の前側において、導入口４１に導入されるシートＳを支持する第２壁部３３が備えられている。そして、第２壁部３３は左側に、筐体２の左面部１１の位置まで延設されている。
【０１１９】
したがって、第３壁部３４が左側に露出している。これにより、第３壁部３４がシートＳの左右方向位置を決める際の基準となることをユーザに容易に認識させることができる。
【０１２０】
以上、搬送ローラ対９１の効果について述べたが、排出ローラ対９５についても、搬送ローラ対９１と同じ効果が発生する。
【０１２１】
＜変形例＞
【０１２２】
以上、本発明の一実施形態について説明したが、本発明は、他の形態で実施することもできる。
【０１２３】
たとえば、前述の実施形態では、搬送ローラ対９１が４個の搬送従動ローラ９７を備えた構成を取り上げたが、これに限らず、搬送ローラ対９１は、６個以上の搬送従動ローラ９７を備えていてもよい。その場合、従動軸１２１は、複数に分割して構成され、各従動軸は、互いに同数個の搬送従動ローラ９７に挿通されることが好ましい。そして、各従動軸の両端部が搬送駆動ローラ９６側に押圧されることが好ましい。また、搬送ローラ対９１は、２個の搬送従動ローラ９７を備え、各搬送従動ローラ９７に別の従動軸が挿通されてもよい。排出ローラ対９５についても同様である。
【０１２４】
その他、前述の構成には、特許請求の範囲に記載された事項の範囲で種々の設計変更を施すことが可能である。
【符号の説明】
【０１２５】
１        画像読取装置
２        筐体
２３      切欠
３４      第３壁部
４１      導入口
５２      アクチュエータ
９１      搬送ローラ対
９３      第１読取部
９４      第２読取部
９５      排出ローラ対
９６Ａ    第１駆動ローラ
９６Ｂ    第２駆動ローラ
９６Ｃ    第３駆動ローラ
９６Ｄ    第４駆動ローラ
９７Ａ    第１従動ローラ
９７Ｂ    第２従動ローラ
９７Ｃ    第３従動ローラ
９７Ｄ    第４従動ローラ
９８Ａ    第１駆動ローラ
９８Ｂ    第２駆動ローラ
９８Ｃ    第３駆動ローラ
９８Ｄ    第４駆動ローラ
９９Ａ    第１従動ローラ
９９Ｂ    第２従動ローラ
９９Ｃ    第３従動ローラ
９９Ｄ    第４従動ローラ
１０１    駆動軸
１０９    駆動軸
１２１Ａ  第１従動軸
１２１Ｂ  第２従動軸
１３１Ａ  第１従動軸
１３１Ｂ  第２従動軸
Ｓ        シート
【図１】
2014193764.tif 000003
【図２】
2014193764.tif 000004
【図３】
2014193764.tif 000005
【図４】
2014193764.tif 000006
【図５】
2014193764.tif 000007
【図６】
2014193764.tif 000008
【図７】
2014193764.tif 000009
【図８】
2014193764.tif 000010
【図９】
2014193764.tif 000011
【図１０】
2014193764.tif 000012